(57)【要約】【課題】  熱源が直接埋め込まれた熱効率の良い数種の調理プレートを備え、更にこの熱源が直接調理プレートに埋め込まれる構造を利用して、調理器本体に対し調理プレートを簡単に位置決め状態に装着できる構成を実現した電気調理器を提供すること。【解決手段】  調理器本体１と、この調理器本体１に着脱自在に装着可能な複数種の調理プレート２とを備えた電気調理器であって、前記調理器本体１にプレート用プラグ支承部３を設け、このプレート用プラグ支承部３に位置決め支承可能な電源プラグ20を前記各調理プレート２に設けて、この調理プレート２の電源プラグ20をプレート用プラグ支承部３に支承して調理プレート２を調理器本体１に装着することで、調理器本体１に対し調理プレート２が位置決め状態で装着する構成とし、この電源プラグ20からの電源供給によって発熱する熱源21を調理プレート２に埋設状態に設けた電気調理器。【選択図】      図２
0003108457.tif 000002
【実用新案登録請求の範囲】
【請求項１】
調理器本体と、この調理器本体に着脱自在に装着可能な複数種の調理プレートとを備えた電気調理器であって、前記調理器本体にプレート用プラグ支承部を設け、このプレート用プラグ支承部に位置決め支承可能な電源プラグを前記各調理プレートに設けて、この調理プレートの電源プラグをプレート用プラグ支承部に支承して調理プレートを調理器本体に装着することで、調理器本体に対し調理プレートが位置決め状態で装着する構成とし、この電源プラグからの電源供給によって発熱する熱源を調理プレートに埋設状態に設けたことを特徴とする電気調理器。
【請求項２】
前記調理器本体に着脱自在に装着可能な網用ヒーターと、この調理器本体に着脱自在に装着可能であって且つ調理器本体に装着された前記網用ヒーターの上方位置に装着し得る調理網とを備え、前記調理器本体に網用プラグ支承部を設け、この網用プラグ支承部に位置決め支承可能な電源プラグを前記網用ヒーターに設けて、この網用ヒーターの電源プラグを網用プラグ支承部に支承して網用ヒーターを調理器本体に装着することで、調理器本体に対し網用ヒーターが位置決め状態で装着する構成とし、この調理器本体に装着した網用ヒーターの上方位置に前記調理網を装着することにより、この調理網で調理し得るように構成したことを特徴とする請求項１記載の電気調理器。
【請求項３】
容器形の前記調理器本体の側壁部に前記プレート用プラグ支承部を形成して、調理器本体に前記調理プレートを装着した際調理プレートの側部に突設した前記電源プラグがこのプレート用プラグ支承部に位置決め支承する構成とし、このプレート用プラグ支承部を形成した側壁部と対向する前記調理器本体の側壁部に前記網用プラグ支承部を形成して、調理器本体に前記網用ヒーターを装着した際網用ヒーターの側部に突設した前記電源プラグがこの網用プラグ支承部に位置決め支承する構成としたことを特徴とする請求項２記載の電気調理器。
【考案の詳細な説明】
【技術分野】
【０００１】
本考案は、複数種のホットプレートを使い分けできるようにした電気調理器に関するものである。
【背景技術】
【０００２】
従来のこの種電気調理器は、調理器本体内にヒーターが設けられ、このヒーターの上部にホットプレートを装着できるように構成されている。
【０００３】
また、ホットプレートは、調理内容に応じて最適なものを択一的に装着できるように、数種類が用意されているものもある（例えば、特許文献１参照。）。
【０００４】
【特許文献１】特開平１１−４６９９１号公報
【考案の開示】
【考案が解決しようとする課題】
【０００５】
ところで、この種のホットプレートは、熱効率を考慮すると、ヒーターが直接プレート底面に埋め込まれている方が熱損失の少ない構造を実現できる。
【０００６】
しかし、従来、ヒーターが直接プレートに埋め込まれた構造のものはない。
【０００７】
本考案は、この点、ヒーター（熱源）が直接埋め込まれた熱効率の良い数種の調理プレートを備え、更にこの熱源が直接調理プレートに埋め込まれる構造を利用して、調理器本体に対し調理プレートを簡単に位置決め状態に装着できる構成を実現した電気調理器を提案するものである。
【課題を解決するための手段】
【０００８】
添付図面を参照して本考案の要旨を説明する。
【０００９】
調理器本体１と、この調理器本体１に着脱自在に装着可能な複数種の調理プレート２とを備えた電気調理器であって、前記調理器本体１にプレート用プラグ支承部３を設け、このプレート用プラグ支承部３に位置決め支承可能な電源プラグ20を前記各調理プレート２に設けて、この調理プレート２の電源プラグ20をプレート用プラグ支承部３に支承して調理プレート２を調理器本体１に装着することで、調理器本体１に対し調理プレート２が位置決め状態で装着する構成とし、この電源プラグ20からの電源供給によって発熱する熱源21を調理プレート２に埋設状態に設けたことを特徴とする電気調理器に係るものである。
【００１０】
また、前記調理器本体１に着脱自在に装着可能な網用ヒーター４と、この調理器本体１に着脱自在に装着可能であって且つ調理器本体１に装着された前記網用ヒーター４の上方位置に装着し得る調理網５とを備え、前記調理器本体１に網用プラグ支承部６を設け、この網用プラグ支承部６に位置決め支承可能な電源プラグ40を前記網用ヒーター４に設けて、この網用ヒーター４の電源プラグ40を網用プラグ支承部６に支承して網用ヒーター４を調理器本体１に装着することで、調理器本体１に対し網用ヒーター４が位置決め状態で装着する構成とし、この調理器本体１に装着した網用ヒーター４の上方位置に前記調理網５を装着することにより、この調理網５で調理し得るように構成したことを特徴とする請求項１記載の電気調理器に係るものである。
【００１１】
また、容器形の前記調理器本体１の側壁部に前記プレート用プラグ支承部３を形成して、調理器本体１に前記調理プレート２を装着した際調理プレート２の側部に突設した前記電源プラグ20がこのプレート用プラグ支承部３に位置決め支承する構成とし、このプレート用プラグ支承部３を形成した側壁部と対向する前記調理器本体１の側壁部に前記網用プラグ支承部６を形成して、調理器本体１に前記網用ヒーター４を装着した際網用ヒーター４の側部に突設した前記電源プラグ40がこの網用プラグ支承部６に位置決め支承する構成としたことを特徴とする請求項２記載の電気調理器に係るものである。
【考案の効果】
【００１２】
本考案は上述のように構成したから、熱源が埋設された調理プレートの熱効率が良いため、選択使用したどの調理プレートでも短時間で且つ高い加熱温度で調理を行えることになり、しかも、この調理プレートは、調理器本体に対して位置決め状態で装着するので、この調理プレート上で調理を行い易いことになり、その上、本考案は、調理プレートに直接熱源を埋設したことによってこの調理プレートに電源プラグを設け、この電源プラグを利用して調理プレートを調理器本体に対し位置決めする構造としたため、特別な位置決め機構を設けて構造が複雑化するようなこともなく、本考案のこの構成は簡易に設計実現可能な構成であり量産性に秀れるなど、極めて実用性に秀れた電気調理器となる。
【００１３】
また、請求項２記載の考案においては、調理プレートの択一的な使用だけでなく、調理網も使用可能となる極めて実用性に秀れた電気調理器となる。
【００１４】
また、請求項３記載の考案においては、前記作用・効果を確実に発揮する構成を簡易に設計実現可能となり、しかも、調理プレートと調理網との使い分けがし易く、取り扱いが容易な一層実用性に秀れた電気調理器となる。
【考案を実施するための最良の形態】
【００１５】
好適と考える本考案の実施形態（考案をどのように実施するか）を、図面に基づいて本考案の作用を示して簡単に説明する。
【００１６】
複数種の調理プレート２を、調理内容に応じて適宜選択して使用する。
【００１７】
この調理プレート２は、この調理プレート２の電源プラグ20を調理器本体１のプレート用プラグ支承部３に位置決め支承して調理器本体１に装着することで、調理器本体１に対し位置決め状態となる。
【００１８】
従って、装着した調理プレート２は、調理器本体１に対して大きくガタつくようなことがないので、この調理プレート２上で調理を行い易い。
【００１９】
前記電源プラグ20に電源コード等を接続して調理プレート２の熱源21に電源を供給すると、この電源供給により熱源21が発熱して調理プレート２が加熱され、この調理プレート２上で食材を加熱調理することができる。
【００２０】
この際、熱源21が調理プレート２に直接埋設状態に設けられる本考案は、ヒーター上に調理プレートを載置してヒーターからの熱伝導により調理プレートが加熱されるような構成に比べて熱効率が良く、短時間で且つ高い加熱温度で調理を行えることになる。
【００２１】
また、調理プレート２に直接熱源21を埋設したことでこの調理プレート２に電源プラグ20を設けているが、本考案では、この電源プラグ20を利用して前記プレート用プラグ支承部３に支承することによる調理プレート２の位置決め構造を実現しているため、特別な位置決め機構等を設けることで構造が著しく複雑化してしまうようなことがなく、この構成は簡易に設計実現可能な構成であり量産性に秀れることになる。
【００２２】
尚、調理プレート２に対してヒーター（熱源21）を埋設することは簡易に設計実現可能であるが、調理網５に対してヒーターを埋設することは網材の構造上できない。しかし、本考案では、請求項２のように構成することで、熱源21を埋設した調理プレート２を使用する構成でありながら、調理網５を使用する態様に変化させることもできる。
【００２３】
即ち、請求項２記載の考案によると、例えば、調理器本体１から調理プレート２を取り去り、網用ヒーター４の電源プラグ40を調理器本体１の網用プラグ支承部６に位置決め支承してこの網用ヒーター４を調理器本体１に装着することができる。
【００２４】
そして、この網用ヒーター４の上方に調理網５を装着し、電源プラグ40に電源コード等を接続して網用ヒーター４に電源を供給すると、この電源供給により網用ヒーター４が発熱して調理網５上に載置した食材を加熱調理することができる。
【００２５】
また、この際、電源プラグ40と網用プラグ支承部６との位置決め支承によって調理器本体１に対し網用ヒーター４が位置決め状態となるため、調理網５上の食材に対して網用ヒーター４による安定した加熱作用が発揮されることになる。
【００２６】
従って、調理プレート２の択一的な使用だけでなく、調理網５も使用可能となる極めて実用性に秀れた電気調理器となる。
【００２７】
また、例えば、容器形の前記調理器本体１の側壁部に前記プレート用プラグ支承部３を形成して、調理器本体１に前記調理プレート２を装着した際調理プレート２の側部に突設した前記電源プラグ20がこのプレート用プラグ支承部３に位置決め支承する構成とし、このプレート用プラグ支承部３を形成した側壁部と対向する前記調理器本体１の側壁部に前記網用プラグ支承部６を形成して、調理器本体１に前記網用ヒーター４を装着した際網用ヒーター４の側部に突設した前記電源プラグ40がこの網用プラグ支承部６に位置決め支承する構成とすれば、前記作用・効果を確実に発揮する構成を簡易に設計実現可能となり、しかも、プレート用プラグ支承部３と網用プラグ支承部６とを対向位置に設けたことで、調理プレート２を使用する態様と調理網５（網用ヒーター４）を使用する態様とを使い分けし易く、取り扱い容易となるなど、一層実用的となる。
【実施例】
【００２８】
本考案の具体的な実施例について図面に基づいて説明する。
【００２９】
本実施例は、プレート用プラグ支承部３と網用プラグ支承部６とを備えた調理器本体１と、この調理器本体１に着脱自在に装着可能であって，前記プレート用プラグ支承部３に位置決め支承可能な電源プラグ20を有しこの電源プラグ20からの電源供給によって発熱する熱源21を埋設して成る調理プレート２と、前記調理器本体１に着脱自在に装着可能であって，前記網用プラグ支承部６に位置決め支承可能な電源プラグ40を備えた網用ヒーター４と、この調理器本体１に着脱自在に装着可能であって，調理器本体１に装着された前記網用ヒーター４の上方に装着し得る調理網５とを備え、前記調理プレート２の電源プラグ20を前記プレート用プラグ支承部３に位置決め支承して調理プレート２を前記調理器本体１に装着することにより、この調理プレート２で調理し得るように構成し、且つ前記網用ヒーター４の電源プラグ40を前記網用プラグ支承部６に位置決め支承して網用ヒーター４を前記調理器本体１に装着すると共にこの網用ヒーター４の上方に調理網５を装着することにより、この調理網５で調理し得るように構成したことを特徴とする電気調理器に係るものである。
【００３０】
また、調理網５を使用する際、網用ヒーター４の下方に収納される水受皿７を備えている。
【００３１】
以下、具体的に説明する。
【００３２】
本実施例の調理器本体１は、平面視略長方形状を呈する上部開口型の容器に形成している。
【００３３】
また、この調理器本体１の対向する長辺方向の各側壁部には、前記調理網５を載置するための載置部９を設けている。更に説明すると、調理器本体１の長辺方向の各側壁部の数箇所を切り出して内側に突出させた切り出し片によりこの載置部９を構成している。
【００３４】
また、この調理器本体１の対向する短辺方向の各側壁部の外面には、持ち手部８を付設している。更に説明すると、この夫々の持ち手部８の下部には、脚部８Ａを一体的に突設し、この脚部８Ａを載置面に載置することによって調理器本体１の底面が載置面より浮上した状態でセットされるようにしている。
【００３５】
また、この調理器本体１の対向する短辺方向の各側壁部に、略横長方形状の貫通孔を形成し、この各貫通孔と連通するようにして（位置を合せて）前記各持ち手部８にも同略横長方形状の貫通孔を貫通形成している。そして、一方の側壁部の前記貫通孔と，一方の持ち手部８の前記貫通孔とをプレート用プラグ支承部３とし、他方の側壁部の前記貫通孔と，他方の持ち手部８の前記貫通孔とを網用プラグ支承部６としている。
【００３６】
また、この調理器本体１の内部底部には遮熱板10を固定し、この遮熱板10上に前記水受皿７を着脱自在に載置する構成としている。
【００３７】
本実施例の調理プレート２は、前記調理器本体１と略同等の平面視形状（略長方形状）であって調理器本体１よりやや小さい浅底の容器に形成している。
【００３８】
また、この調理プレート２の対向する短辺方向の上縁部を水平側方へ鍔状に突設し、この各突鍔部の下面数箇所にＬ字形の掛止部11を突設し、この各掛止部11を前記調理器本体１の短辺方向の上縁部に掛止載置することで、調理器本体１の上部開口部にこの調理プレート２を、調理器本体１の長辺方向へ横ズレしない状態で且つ略水平状態に装着できるように構成している。
【００３９】
また、この調理プレート２の外側底面には、伝熱線21を所要形状（略コ字形）に折曲形成してなる熱源21を当接して固定すると共に、この伝熱線21の左右側部を調理プレート２から一体的に延設突設した延設部によって被覆固定することで、この伝熱線21を調理プレート２の外側底面に埋設状態に設け、これにより伝熱線21が発熱した際にこの伝熱線21の上面並びに左右側面から調理プレート２の底面へ良好に熱が伝達して熱効率の良い加熱作用が得られる構成としている。
【００４０】
尚、請求項１中の「埋設状態に設け」なる記載は、調理プレート２に対して熱源21が完全に埋没した状態は勿論、本実施例のように、調理プレート２に対して熱源21が突設し且つ完全に埋め込まれずに一部露出しているような構成をも含む意味合いで用いているものである。
【００４１】
また、この調理プレート２の一方の短辺方向の側壁部に、この調理プレート２の外側へ向けて電源プラグ20を突出状態に付設し、この電源プラグ20と前記伝熱線21とを電気的に接続している。従って、この電源プラグ20に電源コードを接続して電源供給すると、電熱線21が発熱して調理プレート２が加熱する構成としている。
【００４２】
また、この電源プラグ20は、その外形が、前記プレート用プラグ支承部３と略同形状（略横長方形状）となるように構成し、この電源プラグ20をプレート用プラグ支承部３に調理器本体１の内側から差込支承することで、調理器本体１に対しこの調理器本体１の短辺方向へ調理プレート２が横ズレしない位置決め作用が得られるように構成している。
【００４３】
従って、本実施例では、この電源プラグ20とプレート用プラグ支承部３とによる調理器本体１の短辺方向の横ズレ防止作用と、前記各掛止部11による調理器本体１の長辺方向への横ズレ防止作用とによって、安定的な位置決め状態で調理プレート２を調理器本体１に略水平状態で装着できる構成としている。
【００４４】
また、本実施例の調理プレート２は、内側底面に複数のリブ（凸条）が並設する波形プレート２Ａと、内側底面に複数の半球形の凹みが並設するたこ焼きプレート２Ｂとの二種類を用意した場合を示しており、例えば、焼肉などを調理する場合には、波形プレート２Ａを使用し、たこ焼きを調理する場合には、たこ焼きプレート２Ｂを使用するというように調理の内容に応じて調理プレート２を使い分けできる構成としている。
【００４５】
本実施例の網用ヒーター４は、電熱線を図示した所要の形状に屈曲形成して構成し、この屈曲形成した電熱線の両端部に電源プラグ40を接続して、この伝熱線（網用ヒーター４）の側部にこの電源プラグ40が突設するように設けている。
【００４６】
また、この電源プラグ40は、その外形が、前記網用プラグ支承部６と略同形状（略横長方形状）となるように構成し、この電源プラグ40を網用プラグ支承部６に調理器本体１の内側から差込支承することで、調理器本体１に対しこの調理器本体１の短辺方向へ網用ヒーター４が横ズレしない位置決め作用が得られるように構成している。
【００４７】
また、この電源プラグ40の背面部には、この電源プラグ40よりも横幅のある取付補助板12を付設し、この取付補助板12の左右両端部を電源プラグ40の前側方向（接続先端方向）に向かって略直角に屈曲形成してこの折曲片を位置決め片12Ａとし、更にこの位置決め片12Ａの基部（屈曲部）下側を上方へ向かって切欠形成している。
【００４８】
一方、前記調理器本体１に設けた網用プラグ支承部６の左右両側位置には、前記取付補助板12の左右両端部の各位置決め片12Ａが貫通する細縦穴状の位置決め穴13を貫通形成している。
【００４９】
そして、前記網用プラグ支承部６に調理器本体１の内側から外側に向けて電源プラグ40を差込支承すると共に、左右の位置決め片12Ａを左右の位置決め穴13に挿通してこの各位置決め穴13の下縁に各位置決め片12Ａの基部下側の切欠部を上方から掛止することで、調理器本体１に対して網用ヒーター４を調理器本体１の内方へ抜け落ちることのない位置決め状態で装着できる構成としている。
【００５０】
また、前記水受皿７に、線材を略コ字形に折曲形成して成るヒーター受杆14を設け、この水受皿７を前記遮熱板10上に載置することで調理器本体１内に装着した際、このヒーター受杆14上に網用ヒーター４を安定的に載置保持できる構成としている。尚、このヒーター受杆14は、水受皿７の取手としても機能する構成としている。
【００５１】
従って、本実施例では、電源プラグ40と前記網用プラグ支承部６，及び位置決め片12Ａと位置決め穴13とによる調理器本体１の短辺方向への横ズレ防止作用，並びに抜け止め作用と、前記ヒーター受杆14への載置作用とによって、安定的な位置決め状態で網用ヒーター４を調理器本体１に略水平状態で装着できる構成としている。
【００５２】
本実施例の調理網５は、前記調理器本体１と略同等の平面視形状（略長方形状）であって調理器本体１の上部開口部よりも小さい方形枠内に、波線形状の桟杆を複数並設状態にして架設固定してなる網状体とし、この調理網５の周縁部（方形枠）を数箇所の前記載置部９に上方から載置して調理器本体１内の上方位置に装着できるように構成している。
【００５３】
また、この調理網５が前記網用ヒーター４より上方位置に装着されるように、前記網用プラグ支承部６と載置部９の形成位置を設定構成している。
【００５４】
次に、本実施例の具体的な使用方法を説明する。
【００５５】
調理プレート２を使用する場合、二枚の調理プレート２を、調理内容に応じて適宜選択して使用する。
【００５６】
この調理プレート２の電源プラグ20を調理器本体１のプレート用プラグ支承部３に差し込んで位置決め支承すると共に、前記各掛止部11を調理器本体１の上縁部に掛止載置すると、この調理プレート２が調理器本体１に対し略水平位置決め状態で装着される。
【００５７】
電源プラグ20に電源コード等を接続して調理プレート２の熱源21に電源を供給すると、この電源供給により熱源21が発熱して調理プレート２が加熱され、この調理プレート２上で食材を加熱調理することができる。
【００５８】
また、調理網５を使用する場合、前記調理プレート２は使用しないので、調理器本体１から取り去っておく。
【００５９】
調理器本体１内の前記遮熱板10上に水受皿７を載置し、この水受皿10に予め水を入れておく。これにより調理時に発生する肉汁などがこの水受皿10の水の中に落下することになり、煙の発生を防ぐ効果がある。
【００６０】
網用ヒーター４の電源プラグ40を調理器本体１の網用プラグ支承部６に差し込むと共に位置決め片12Ａを位置決め穴13に差し込んで位置決め支承し、更に網用ヒーター４を水受皿７のヒーター受杆14上に載置することで、この網用ヒーター４が調理器本体１に対し略水平位置決め状態で装着される。
【００６１】
次いで、調理器本体１の各載置部９上に上方から調理網５を載置することで、網用ヒーター４の上方に調理網５を装着し、電源プラグ40に電源コード等を接続して網用ヒーター４に電源を供給すると、この電源供給により網用ヒーター４が発熱して調理網５上に載置した食材を加熱調理することができる。
【００６２】
尚、本考案は、本実施例に限られるものではなく、各構成要件の具体的構成は適宜設計し得るものである。
【図面の簡単な説明】
【００６３】
【図１】本実施例の調理器本体より調理プレートを分解した状態を示す斜視図である。
【図２】本実施例の調理プレートを底面側から示した斜視図である。
【図３】本実施例の調理プレートの使用状態を示す側断面図である。
【図４】本実施例の調理器本体より網用ヒーターと調理網とを分解した状態を示す斜視図である。
【図５】本実施例の調理網の使用状態を示す斜視図である。
【図６】図５の側断面図である。
【符号の説明】
【００６４】
１  調理器本体
２  調理プレート
３  プレート用プラグ支承部
４  網用ヒーター
５  調理網
６  網用プラグ支承部
20  電源プラグ
21  熱源
40  電源プラグ
【図１】
0003108457.tif 000003
【図２】
0003108457.tif 000004
【図３】
0003108457.tif 000005
【図４】
0003108457.tif 000006
【図５】
0003108457.tif 000007
【図６】
0003108457.tif 000008